(57)【要約】本発明は、特定装置が所有するＤＲＭコンテンツを利用するための利用権利（Ｒｉｇｈｔｓ  Ｏｂｊｅｃｔ；ＲＯ）を他の装置が用いることができるようにする、装置間のデジタル著作権管理（Ｄｉｇｉｔａｌ  Ｒｉｇｈｔｓ  Ｍａｎａｇｅｍｅｎｔ；ＤＲＭ）方法及びシステムを提供する。第２装置に属する利用権利（ＲＯ）を第２装置に接続された第１装置が用いることができるように、第２装置が特定コンテンツ又はＲＯを復号化して第１装置に送信する。第１装置により利用された特定コンテンツの利用量に応じて、第２装置が前記ＲＯの状態情報を管理する。
2009515273.tif 000002
【特許請求の範囲】
【請求項１】
記憶装置に保存されたコンテンツの利用権利（Rights Object; RO）の状態情報の更新を要求する端末と、
前記要求に応じて前記ＲＯの状態情報を更新する前記記憶装置と、
を含むことを特徴とする装置間のデジタル著作権管理（Digital Rights Management; DRM）システム。
【請求項２】
前記記憶装置は、前記端末の要求に応じて前記ＲＯの状態情報を更新するＤＲＭエージェントを含むことを特徴とする請求項１に記載の装置間のデジタル著作権管理システム。
【請求項３】
前記端末は、前記記憶装置により復号化された前記コンテンツを受信し、前記受信したコンテンツを利用することを特徴とする請求項１に記載の装置間のデジタル著作権管理システム。
【請求項４】
前記記憶装置は、前記ＲＯを前記記憶装置の秘密鍵を用いて復号化し、前記復号化されたＲＯからコンテンツ暗号化鍵（Content Encryption Key; CEK）を抽出し、前記抽出されたＣＥＫを用いて前記コンテンツを復号化し、前記復号化されたコンテンツを前記端末に送信することを特徴とする請求項１に記載の装置間のデジタル著作権管理システム。
【請求項５】
前記記憶装置は、ＤＲＭエージェントを含む移動端末であることを特徴とする請求項１に記載の装置間のデジタル著作権管理システム。
【請求項６】
前記端末は、
前記特定コンテンツを端末ＤＲＭエージェントに要求し、前記端末ＤＲＭエージェントから復号化された前記特定コンテンツが送信されると、前記復号化された特定コンテンツを再生するメディア再生器と、
前記記憶装置と相互認証を行い、前記メディア再生器により要求された前記特定コンテンツを前記記憶装置に要求し、前記記憶装置により提供された前記復号化されたコンテンツを前記メディア再生器に提供し、前記コンテンツの利用情報によって前記ＲＯの状態情報の更新を前記記憶装置に要求する前記端末ＤＲＭエージェントと、
を含むことを特徴とする請求項１に記載の装置間のデジタル著作権管理システム。
【請求項７】
前記記憶装置は、前記ＲＯをインストール及び管理するＳＲＭ（Secure Removable Media）であることを特徴とする請求項１に記載の装置間のデジタル著作権管理システム。
【請求項８】
前記ＳＲＭは、
前記端末と相互認証を行い、前記端末から要求される前記特定コンテンツに対する利用権限を検証し、前記特定コンテンツを復号化して前記端末に提供し、前記端末からの状態情報更新要求に応じて前記状態情報を更新するＳＲＭＤＲＭエージェントと、
前記特定コンテンツ、その特定コンテンツのメタ情報、前記ＲＯ、及びそのＲＯのメタ情報を保存するメモリと、
を含むことを特徴とする請求項７に記載の装置間のデジタル著作権管理システム。
【請求項９】
前記端末は、前記コンテンツの利用情報によって前記状態情報を更新し、前記更新された状態情報を送信することにより前記状態情報の更新を要求することを特徴とする請求項１に記載の装置間のデジタル著作権管理システム。
【請求項１０】
前記端末は、コンテンツ利用量に関する情報を送信することにより前記状態情報の更新を要求することを特徴とする請求項１に記載の装置間のデジタル著作権管理システム。
【請求項１１】
前記状態情報更新要求は、前記コンテンツの利用中に特定間隔で送信されることを特徴とする請求項１に記載の装置間のデジタル著作権管理システム。
【請求項１２】
前記状態情報更新要求は、前記コンテンツの利用開始、及び前記コンテンツの利用完了のいずれか一方の時点で送信されることを特徴とする請求項１に記載の装置間のデジタル著作権管理システム。
【請求項１３】
前記ＳＲＭは、セキュアデジタル（Secure Digital; SD）カード、マルチメディアカード（Multimedia Card; MMC）、スマートメディアカード（SmartMedia（登録商標） Card; SMC）、マイクロＳＩＭ（Subscriber Identification Module）カード、並びにマルチメディアを保存できる各種メモリカードのいずれか１つであることを特徴とする請求項７に記載の装置間のデジタル著作権管理システム。
【請求項１４】
端末に保存されたコンテンツの利用権利（Rights Object; RO）の状態情報の更新を要求する端末と、
前記要求に応じて前記ＲＯの状態情報を更新する記憶装置と、
を含むことを特徴とする装置間のデジタル著作権管理（Digital Rights Management; DRM）システム。
【請求項１５】
前記記憶装置は、前記端末に保存された前記コンテンツを復号化するための復号情報を前記端末に提供することを特徴とする請求項１４に記載の装置間のデジタル著作権管理システム。
【請求項１６】
前記端末は、前記コンテンツを復号化するための復号情報を前記記憶装置から受信し、前記復号情報を用いて前記コンテンツを復号化することを特徴とする請求項１４に記載の装置間のデジタル著作権管理システム。
【請求項１７】
前記端末は、
前記コンテンツを端末ＤＲＭエージェントに要求し、前記端末ＤＲＭエージェントから復号化された前記コンテンツが送信されると、前記復号化されたコンテンツを再生するメディア再生器と、
前記記憶装置と相互認証を行い、前記メディア再生器により要求された前記コンテンツを復号化するための復号情報を前記記憶装置に要求し、前記記憶装置により提供された前記復号情報を用いて前記コンテンツを復号化して前記メディア再生器に提供し、前記コンテンツの利用情報によって前記ＲＯの状態情報の更新を前記記憶装置に要求する前記端末ＤＲＭエージェントと、
を含むことを特徴とする請求項１４に記載の装置間のデジタル著作権管理システム。
【請求項１８】
前記復号情報が前記ＲＯであることを特徴とする請求項１４に記載の装置間のデジタル著作権管理システム。
【請求項１９】
前記記憶装置は、前記ＲＯを前記記憶装置の秘密鍵を用いて復号化し、前記復号化されたＲＯを前記端末の公開鍵を用いて符号化し、前記符号化されたＲＯを前記端末に送信することを特徴とする請求項１８に記載の装置間のデジタル著作権管理システム。
【請求項２０】
前記復号情報は、前記コンテンツのＲＯに含まれているコンテンツ暗号化鍵（Content Encryption Key; CEK）であることを特徴とする請求項１４に記載の装置間のデジタル著作権管理システム。
【請求項２１】
前記ＣＥＫは、前記端末の公開鍵を用いて符号化された後に送信されることを特徴とする請求項２０に記載の装置間のデジタル著作権管理システム。
【請求項２２】
前記ＣＥＫは、前記端末と前記記憶装置との間に設定されたセキュリティチャネルで送信されることを特徴とする請求項２０に記載の装置間のデジタル著作権管理システム。
【請求項２３】
前記端末は、端末の秘密鍵を用いて前記ＣＥＫを復号化することを特徴とする請求項２０に記載の装置間のデジタル著作権管理システム。
【請求項２４】
前記記憶装置がＳＲＭ（Secure Removable Media）であることを特徴とする請求項１４に記載の装置間のデジタル著作権管理システム。
【請求項２５】
前記ＳＲＭは、
前記端末と相互認証を行い、前記端末が前記特定コンテンツに対する利用権限を有するか否かを検証し、要求された前記特定コンテンツを復号化するための復号情報を前記端末に提供し、前記端末の状態情報更新要求に応じて前記状態情報を更新するＳＲＭＤＲＭエージェントと、
前記特定コンテンツ、その特定コンテンツのメタ情報、前記ＲＯ、及びそのＲＯのメタ情報を保存するメモリと、
を含むことを特徴とする請求項２４に記載の装置間のデジタル著作権管理システム。
【請求項２６】
前記記憶装置は、ＤＲＭエージェントを有する移動端末であることを特徴とする請求項１４に記載の装置間のデジタル著作権管理システム。
【請求項２７】
前記端末は、前記コンテンツの利用情報によって前記状態情報を更新し、前記更新された状態情報を送信することにより前記状態情報の更新を要求することを特徴とする請求項１４に記載の装置間のデジタル著作権管理システム。
【請求項２８】
前記端末は、コンテンツ利用量に関する情報を送信することにより前記状態情報の更新を要求することを特徴とする請求項１４に記載の装置間のデジタル著作権管理システム。
【請求項２９】
前記状態情報更新要求は、特定間隔で送信されることを特徴とする請求項１４に記載の装置間のデジタル著作権管理システム。
【請求項３０】
前記記憶装置は、前記コンテンツの利用開始時に送信される状態情報更新要求、前記コンテンツの利用中に送信される状態情報更新要求、及び前記コンテンツの利用完了時に送信される状態情報更新要求のいずれか１つによって、前記ＲＯの状態情報を更新することを特徴とする請求項１４に記載の装置間のデジタル著作権管理システム。
【請求項３１】
前記ＳＲＭは、セキュアデジタル（Secure Digital; SD）カード、マルチメディアカード（Multimedia Card; MMC）、スマートメディアカード（SmartMedia（登録商標） Card; SMC）、マイクロＳＩＭ（Subscriber Identification Module）カード、並びにマルチメディアを保存できる各種メモリカードのいずれか１つであることを特徴とする請求項２４に記載の装置間のデジタル著作権管理システム。
【請求項３２】
特定コンテンツが記憶装置に保存されている場合、端末が前記特定コンテンツを前記記憶装置に要求する過程と、
前記記憶装置が前記コンテンツを復号化して前記端末に提供する過程と、
前記端末が前記復号化されたコンテンツを利用する過程と、
前記端末により利用された前記コンテンツの利用情報によって、前記記憶装置が前記コンテンツの利用権利（Rights Object; RO）を管理する過程と、
を含むことを特徴とする装置間のデジタル著作権管理（Digital Rights Management; DRM）方法。
【請求項３３】
前記記憶装置が前記コンテンツを復号化して前記端末に提供する過程は、
前記記憶装置が前記要求された特定コンテンツに対する利用権限を検証する過程と、
前記記憶装置が前記ＲＯに保存されたコンテンツ暗号化鍵（Content Encryption Key; CEK）を用いて前記コンテンツを復号化する過程と、
前記記憶装置が前記復号化されたコンテンツを前記端末に送信する過程と、
を含むことを特徴とする請求項３２に記載の装置間のデジタル著作権管理方法。
【請求項３４】
前記記憶装置が前記復号化されたコンテンツと共に状態情報をさらに送信することを特徴とする請求項３３に記載の装置間のデジタル著作権管理方法。
【請求項３５】
前記コンテンツのＲＯを管理する過程は、
前記端末が前記コンテンツの利用情報によって前記コンテンツに関する状態情報を更新する過程と、
前記端末が前記更新された状態情報を前記記憶装置に送信する過程と、
前記記憶装置が前記更新された状態情報を保存する過程と、
を含むことを特徴とする請求項３３に記載の装置間のデジタル著作権管理方法。
【請求項３６】
前記コンテンツのＲＯを管理する過程は、
前記端末が前記コンテンツの利用情報を送信することにより前記コンテンツのＲＯの状態情報の更新を要求する過程と、
前記記憶装置が前記利用情報に基づいて前記コンテンツのＲＯの状態情報を更新する過程と、
を含むことを特徴とする請求項３３に記載の装置間のデジタル著作権管理方法。
【請求項３７】
前記端末が前記利用情報を前記記憶装置に特定間隔で送信することを特徴とする請求項３６に記載の装置間のデジタル著作権管理方法。
【請求項３８】
前記記憶装置は、前記コンテンツの利用開始時に送信される状態情報更新要求、前記コンテンツの利用中に送信される状態情報更新要求、及び前記コンテンツの利用完了時に送信される状態情報更新要求のいずれか１つによって、前記ＲＯの状態情報を更新することを特徴とする請求項３５又は３６に記載の装置間のデジタル著作権管理方法。
【請求項３９】
前記利用情報は、利用回数及び利用時間の少なくとも一方を含むことを特徴とする請求項３６に記載の装置間のデジタル著作権管理方法。
【請求項４０】
前記記憶装置が前記コンテンツを復号化して前記端末に提供する過程は、
前記記憶装置が前記端末の前記要求された特定コンテンツに対する利用権限を検証する過程と、
前記記憶装置が前記ＲＯに保存されたコンテンツ暗号化鍵（Content Encryption Key; CEK）を用いて前記コンテンツを復号化する過程と、
前記記憶装置が前記復号化されたコンテンツを前記端末に送信する過程と、
を含むことを特徴とする請求項３２に記載の装置間のデジタル著作権管理方法。
【請求項４１】
前記コンテンツのＲＯを管理する過程は、
前記端末が前記コンテンツの利用開始、前記コンテンツの利用中、及び前記コンテンツの利用完了を通知する過程と、
前記記憶装置が前記コンテンツの利用開始通知を受信した時刻、前記コンテンツの利用中通知を受信した時刻、及び前記コンテンツの利用完了通知を受信した時刻を参照して、前記コンテンツのＲＯの状態情報を更新する過程と、
を含むことを特徴とする請求項４０に記載の装置間のデジタル著作権管理方法。
【請求項４２】
前記端末と前記記憶装置とが相互認証を行う過程をさらに含むことを特徴とする請求項３２に記載の装置間のデジタル著作権管理方法。
【請求項４３】
前記端末と前記記憶装置間のセキュリティチャネルを設定する過程をさらに含むことを特徴とする請求項３２に記載の装置間のデジタル著作権管理方法。
【請求項４４】
前記記憶装置は、
前記ＲＯを管理するためのＤＲＭエージェントと、
前記ＲＯを保存するためのメモリと、
を含むことを特徴とする請求項３２に記載の装置間のデジタル著作権管理方法。
【請求項４５】
前記記憶装置は、ＤＲＭエージェントを有する移動端末であることを特徴とする請求項３２に記載の装置間のデジタル著作権管理方法。
【請求項４６】
前記記憶装置は、ＤＲＭエージェントを有するＳＲＭ（Secure Removable Media）であることを特徴とする請求項３２に記載の装置間のデジタル著作権管理方法。
【請求項４７】
特定コンテンツが端末に保存されている場合、前記端末が前記特定コンテンツを復号化するための復号情報を記憶装置から取得する過程と、
前記端末が前記復号情報を用いて前記特定コンテンツを復号化して利用する過程と、
前記端末により利用された前記コンテンツの利用情報によって、前記記憶装置が前記コンテンツの利用権利（Rights Object; RO）を管理する過程と、
を含むことを特徴とする装置間のデジタル著作権管理（Digital Rights Management; DRM）方法。
【請求項４８】
前記復号情報が前記ＲＯであることを特徴とする請求項４７に記載の装置間のデジタル著作権管理方法。
【請求項４９】
前記復号情報は、前記特定コンテンツのＲＯに含まれているコンテンツ暗号化鍵（Content Encryption Key; CEK）であることを特徴とする請求項４７に記載の装置間のデジタル著作権管理方法。
【請求項５０】
前記端末が前記特定コンテンツを復号化するための復号情報を記憶装置から取得する過程は、
前記端末が前記特定コンテンツのＲＯを前記記憶装置に要求する過程と、
前記記憶装置が前記ＲＯに対する利用権限を検証する過程と、
前記記憶装置が前記ＲＯを復号化する過程と、
前記記憶装置が前記復号化されたＲＯ及び／又は状態情報を前記端末に送信する過程と、
を含むことを特徴とする請求項４７に記載の装置間のデジタル著作権管理方法。
【請求項５１】
前記コンテンツのＲＯを管理する過程は、
前記端末が前記コンテンツの利用情報によって前記コンテンツに関する状態情報を更新する過程と、
前記端末が前記更新された状態情報を前記記憶装置に送信する過程と、
前記記憶装置が前記更新された状態情報を設定する過程と、
を含むことを特徴とする請求項５０に記載の装置間のデジタル著作権管理方法。
【請求項５２】
前記コンテンツのＲＯを管理する過程は、
前記端末が前記コンテンツの利用情報を送信することにより前記コンテンツのＲＯの状態情報の更新を要求する過程と、
前記記憶装置が前記利用情報に基づいて前記コンテンツのＲＯの状態情報を更新する過程と、
を含むことを特徴とする請求項５０に記載の装置間のデジタル著作権管理方法。
【請求項５３】
前記利用情報は、利用回数及び利用時間の少なくとも一方を含むことを特徴とする請求項５２に記載の装置間のデジタル著作権管理方法。
【請求項５４】
前記端末が前記特定コンテンツを復号化するための復号情報を記憶装置から取得する過程は、
前記端末が前記特定コンテンツの利用を要求する過程と、
前記記憶装置が前記端末の前記特定コンテンツに対する利用権限を検証する過程と、
前記記憶装置が前記特定コンテンツのＲＯに保存されたコンテンツ暗号化鍵（Content Encryption Key; CEK）及び前記特定コンテンツに関する利用可能時間情報を前記端末に送信する過程と、
を含むことを特徴とする請求項４７に記載の装置間のデジタル著作権管理方法。
【請求項５５】
前記コンテンツのＲＯを管理する過程は、
前記端末が前記コンテンツの利用開始、前記コンテンツの利用中、及び前記コンテンツの利用完了を通知する過程と、
前記記憶装置が前記コンテンツの利用開始通知を受信した時刻、前記コンテンツの利用中通知を受信した時刻、及び前記コンテンツの利用完了通知を受信した時刻を参照して、前記コンテンツのＲＯの状態情報を更新する過程と、
を含むことを特徴とする請求項５４に記載の装置間のデジタル著作権管理方法。
【請求項５６】
前記端末と前記記憶装置とが相互認証を行う過程をさらに含むことを特徴とする請求項４７に記載の装置間のデジタル著作権管理方法。
【請求項５７】
前記端末と前記記憶装置間のセキュリティチャネルを設定する過程をさらに含むことを特徴とする請求項４７に記載の装置間のデジタル著作権管理方法。
【請求項５８】
特定コンテンツを利用し、第２装置が所有する前記コンテンツの利用権利（Rights Object; RO）の状態情報の更新を要求する第１装置と、
前記コンテンツの利用を許可し、前記要求に応じて前記ＲＯの状態情報を更新する前記第２装置と、
を含むことを特徴とする装置間のデジタル著作権管理（Digital Rights Management; DRM）システム。
【請求項５９】
前記第１装置は、端末を含むことを特徴とする請求項５８に記載の装置間のデジタル著作権管理システム。
【請求項６０】
前記第１装置は、ホームネットワーキングシステムを構成するデバイスの１つを含むことを特徴とする請求項５８に記載の装置間のデジタル著作権管理システム。
【請求項６１】
前記第２装置は、移動端末及びＳＲＭ（Secure Removable Media）のいずれか一方を含むことを特徴とする請求項５８に記載の装置間のデジタル著作権管理システム。
【請求項６２】
前記ＳＲＭは、セキュアデジタル（Secure Digital; SD）カード、マルチメディアカード（Multimedia Card; MMC）、スマートメディアカード（SmartMedia（登録商標） Card; SMC）、マイクロＳＩＭ（Subscriber Identification Module）カード、並びにマルチメディアを保存できる各種メモリカードのいずれか１つであることを特徴とする請求項６１に記載の装置間のデジタル著作権管理システム。
【請求項６３】
前記第２装置は、ホームネットワーキングシステムを構成するデバイスの１つを含むことを特徴とする請求項５８に記載の装置間のデジタル著作権管理システム。
【請求項６４】
前記第１装置は、前記第２装置から前記復号化されたコンテンツを受信することを特徴とする請求項５８に記載の装置間のデジタル著作権管理システム。
【請求項６５】
前記第２装置は、前記第２装置の秘密鍵を用いて前記ＲＯを復号化し、前記復号化されたＲＯから抽出されたコンテンツ暗号化鍵（Content Encryption Key; CEK）を用いて前記コンテンツを復号化することを特徴とする請求項６４に記載の装置間のデジタル著作権管理システム。
【請求項６６】
前記第１装置は、前記第２装置から前記第１装置の公開鍵で符号化されたＲＯを受信し、前記符号化されたＲＯを前記第１装置の秘密鍵で復号化し、前記復号化されたＲＯから抽出されたＣＥＫを用いて前記コンテンツを復号化することを特徴とする請求項５８に記載の装置間のデジタル著作権管理システム。
【請求項６７】
前記第１装置は、前記第２装置から前記第１装置の公開鍵で符号化されたＣＥＫを受信し、前記符号化されたＣＥＫを前記第１装置の秘密鍵で復号化し、前記復号化されたＣＥＫを用いて前記コンテンツを復号化することを特徴とする請求項５８に記載の装置間のデジタル著作権管理システム。
【請求項６８】
前記移動端末は、
前記第２装置と相互認証を行い、前記第２装置と連動して、前記ＲＯを取得することにより前記復号化されたコンテンツ又は前記コンテンツを利用し、前記コンテンツの利用情報による前記ＲＯの更新を要求する端末ＤＲＭエージェントと、
前記端末ＤＲＭエージェントの制御により、前記コンテンツを利用するメディア再生器と、
前記端末ＤＲＭエージェントの制御により、ユーザとインタフェースするユーザインタフェース部と、
を含むことを特徴とする請求項５９に記載の装置間のデジタル著作権管理システム。
【請求項６９】
前記第２装置は、
前記第１装置と相互認証を行い、前記コンテンツ又は前記ＲＯを復号化して前記第１装置に提供し、前記第１装置から送信されたＲＯ更新要求に応じて前記ＲＯを更新するＤＲＭエージェントと、
前記コンテンツ及び前記ＲＯを含むＤＲＭエージェント情報を保存するメモリと、
を含むことを特徴とする請求項５８に記載の装置間のデジタル著作権管理システム。
【請求項７０】
特定装置が所有するコンテンツの利用権利（Rights Object;RO）の状態情報の更新を要求するエージェントを含むことを特徴とするデジタル著作権管理（Digital Rights Management; DRM）端末。
【請求項７１】
前記エージェントは、前記特定装置から前記コンテンツを復号化して受信することを特徴とする請求項７０に記載のデジタル著作権管理端末。
【請求項７２】
前記エージェントは、前記特定装置から前記コンテンツを復号化するための復号情報を受信することを特徴とする請求項７０に記載のデジタル著作権管理端末。
【請求項７３】
前記復号情報は、前記ＲＯと前記ＲＯに含まれるコンテンツ符号化／復号化鍵（Content Encoding/decoding Key; CEK）のいずれか一方であることを特徴とする請求項７２に記載のデジタル著作権管理端末。
【請求項７４】
前記エージェントは、前記コンテンツの利用開始時、利用中、又は利用完了時に、前記ＲＯの状態情報の更新を前記特定装置に要求することを特徴とする請求項７０に記載のデジタル著作権管理端末。
【請求項７５】
端末のコンテンツ利用を許可し、前記端末の要求に応じて前記コンテンツの利用権利（Rights Object; RO）の状態情報を更新するエージェントを含むことを特徴とするデジタル著作権管理（DigitalRights Management; DRM）記憶装置。
【請求項７６】
前記エージェントは、前記コンテンツを復号化して前記端末に提供することを特徴とする請求項７５に記載のデジタル著作権管理記憶装置。
【請求項７７】
前記エージェントは、前記コンテンツのＲＯを前記記憶装置の秘密鍵を用いて復号化し、前記復号化されたＲＯを前記端末の公開鍵を用いて符号化し、前記符号化されたＲＯを前記端末に送信することを特徴とする請求項７５に記載のデジタル著作権管理記憶装置。
【請求項７８】
前記エージェントは、前記コンテンツのＲＯを前記記憶装置の公開鍵を用いて復号化し、前記復号化されたＲＯからコンテンツ符号化／復号化鍵を抽出し、前記抽出したコンテンツ符号化／復号化鍵を前記端末の公開鍵を用いて符号化し、前記符号化されたコンテンツ符号化／復号化鍵を前記端末に送信することを特徴とする請求項７５に記載のデジタル著作権管理記憶装置。
【発明の詳細な説明】
【技術分野】
【０００１】
本発明はデジタル著作権管理（Digital Rights Management; DRM）システムに関し、特に第２装置が所有する利用権利（RightsObject; RO）を第１装置が用いることができるようにする方法及びシステムに関する。
【背景技術】
【０００２】
一般に、ＤＲＭは、デジタルコンテンツのＲＯを安全に保護して体系的に管理するための技術であり、コンテンツの違法複製の防止、コンテンツのＲＯの取得、並びにコンテンツ利用過程における保護及び管理のためのシステムを提供する。
【０００３】
図１は一般的なＤＲＭシステムの構成を示している。
【０００４】
一般的なＤＲＭシステムは、コンテンツプロバイダがユーザに提供したデジタルコンテンツをユーザに付与されたＲＯ内でのみ利用できるように規制する。ここで、前記コンテンツプロバイダは、コンテンツイシュア（Content Issuer; CI）及び／又はライトイシュア（Rights Issuer; RI）に該当するエンティティである。
【０００５】
前記ＣＩは、権限を有していないユーザからコンテンツを保護できるように、特定符号化鍵により保護されたコンテンツ（以下、ＤＲＭコンテンツ（又はデジタルコンテンツ）という）を発行し、前記ＲＩは、前記ＤＲＭコンテンツの利用に必要なＲＯを発行する。
【０００６】
ＤＲＭエージェントは、端末に搭載されて前記ＣＩ及びＲＩから前記ＤＲＭコンテンツ及びＲＯを受信し、前記ＲＯに含まれている許可動作（ｐｅｒｍｉｓｓｉｏｎ）及び／又は制限条件（ｃｏｎｓｔｒａｉｎｔ）を解析して該当端末での前記ＤＲＭコンテンツの利用を規制する。
【０００７】
ＲＯはｓｔａｔｅｆｕｌ ＲＯとｓｔａｔｅｌｅｓｓ ＲＯ（又はｎｏｎ−ｓｔａｔｅｆｕｌＲＯ）とに分けられる。ｓｔａｔｅｌｅｓｓ ＲＯは、端末が状態情報を管理しないＲＯである。ｓｔａｔｅｆｕｌ ＲＯは、ＲＯ内に示されているｐｅｒｍｉｓｓｉｏｎ及びｃｏｎｓｔｒａｉｎｔが正確に適用されるように、端末が状態情報を明示的に管理しなければならないＲＯである。状態情報により管理されるｃｏｎｓｔｒａｉｎｔは、＜ｉｎｔｅｒｖａｌ＞、＜ｃｏｕｎｔ＞、＜ｔｉｍｅｄ−ｃｏｕｎｔ＞、＜ａｃｃｕｍｕｌａｔｅｄ＞の少なくとも１つを含む。
【０００８】
状態情報は今後利用可能なコンテンツの量を示す情報であり、ｓｔａｔｅｆｕｌＲＯ毎に１つの状態情報が管理される。例えば状態情報は、利用した回数、利用した時間などの形式で管理することもでき、利用可能な回数、利用可能な時間などの形式で管理することもできる。
【０００９】
一般に、ＲＯが特定装置の公開鍵により符号化（又は暗号化）されているため、公開鍵と対をなす秘密鍵を有しない端末は、そのＲＯに関するＤＲＭコンテンツを復号化又は利用（又は再生）することができない。
【００１０】
従って、一般的なＤＲＭシステムにおいては、ＲＯ及びそれに関するＤＲＭコンテンツがマルチメディアカードなどのメモリカード又はＳＲＭ（Secure Removable Media）に保存されている場合、そのＲＯが発行されていない端末は、前記メモリカード（又はＳＲＭ）が挿入されても、そのメモリカード（又はＳＲＭ）から前記ＤＲＭコンテンツを読み出せず、前記ＤＲＭコンテンツを利用できないという問題があった。
【００１１】
また、一般的なＤＲＭシステムにおいては、所定のＲＯが特定端末に発行されていたので、ＳＲＭにＲＯ及びそれに関するＤＲＭコンテンツが保存されている場合、前記特定端末のみ前記ＳＲＭから前記ＤＲＭコンテンツ及びＲＯを読み出して利用できるため、ＳＲＭの有用性を低下させるという問題があった。
【発明の開示】
【課題を解決するための手段】
【００１２】
そこで、本発明は、特定装置が所有するＤＲＭコンテンツを利用するための利用権利（ＲＯ）を他の装置が用いることができるようにする、装置間のデジタル著作権管理（ＤＲＭ）方法及びシステムを提供することを特徴とする。
【００１３】
本発明の他の特徴は、ＳＲＭがＳＲＭに発行された利用権利をＳＲＭに接続された端末に移転して前記端末が前記利用権利を用いることができるようにする、装置間のデジタル著作権管理方法及びシステムを提供することにある。
【００１４】
少なくとも前述した特徴を全体的又は部分的に実現するために、本発明は、記憶装置に保存されたコンテンツの利用権利の状態情報の更新を要求する端末と、前記要求に応じて前記利用権利の状態情報を更新する前記記憶装置とを含む、装置間のデジタル著作権管理システムを提供する。
【００１５】
また、少なくとも前述した特徴を全体的又は部分的に実現するために、本発明は、端末に保存されたコンテンツの利用権利の状態情報の更新を要求する端末と、前記要求に応じて前記利用権利の状態情報を更新する記憶装置とを含む、装置間のデジタル著作権管理システムを提供する。
【００１６】
さらに、少なくとも前述した特徴を全体的又は部分的に実現するために、本発明は、特定コンテンツが記憶装置に保存されている場合、端末が前記特定コンテンツを前記記憶装置に要求する過程と、前記記憶装置が前記コンテンツを復号化して前記端末に提供する過程と、前記端末が前記復号化されたコンテンツを利用する過程と、前記端末により利用された前記コンテンツの利用情報によって、前記記憶装置が前記コンテンツの利用権利を管理する過程とを含む、装置間のデジタル著作権管理方法を提供する。
【００１７】
さらに、少なくとも前述した特徴を全体的又は部分的に実現するために、本発明は、特定コンテンツが端末に保存されている場合、前記端末が前記特定コンテンツを復号化するための復号情報を記憶装置から取得する過程と、前記端末が前記復号情報を用いて前記特定コンテンツを復号化して利用する過程と、前記端末により利用された前記コンテンツの利用情報によって、前記記憶装置が前記コンテンツの利用権利を管理する過程とを含む、装置間のデジタル著作権管理方法を提供する。
【００１８】
さらに、少なくとも前述した特徴を全体的又は部分的に実現するために、本発明は、特定コンテンツを利用し、第２装置が所有する前記コンテンツの利用権利の状態情報の更新を要求する第１装置と、前記コンテンツの利用を許可し、前記要求に応じて前記利用権利の状態情報を更新する前記第２装置とを含む、装置間のデジタル著作権管理システムを提供する。
【００１９】
さらに、少なくとも前述した特徴を全体的又は部分的に実現するために、本発明は、特定装置が所有するコンテンツの利用権利の状態情報の更新を要求するエージェントを含むデジタル著作権管理端末を提供する。
【００２０】
前記エージェントは、前記特定装置から前記コンテンツを復号化して受信する。
【００２１】
前記エージェントは、前記特定装置から前記コンテンツを復号化するための復号情報を受信する。
【００２２】
前記復号情報は、前記利用権利と前記利用権利に含まれるコンテンツ符号化／復号化鍵のいずれか一方である。
【００２３】
前記エージェントは、前記コンテンツの利用開始時、利用中、又は利用完了時に、前記利用権利の状態情報の更新を前記特定装置に要求する。
【００２４】
さらに、少なくとも前述した特徴を全体的又は部分的に実現するために、本発明は、端末のコンテンツ利用を許可し、前記端末の要求に応じて前記コンテンツの利用権利の状態情報を更新するエージェントを含むデジタル著作権管理記憶装置を提供する。
【００２５】
前記エージェントは、前記コンテンツを復号化して前記端末に提供する。
【００２６】
前記エージェントは、前記コンテンツの利用権利を前記記憶装置の秘密鍵を用いて復号化し、前記復号化された利用権利を前記端末の公開鍵を用いて符号化し、前記符号化された利用権利を前記端末に送信する。
【００２７】
前記エージェントは、前記コンテンツの利用権利を前記記憶装置の公開鍵を用いて復号化し、前記復号化された利用権利からコンテンツ符号化／復号化鍵を抽出し、前記抽出したコンテンツ符号化／復号化鍵を前記端末の公開鍵を用いて符号化し、前記符号化されたコンテンツ符号化／復号化鍵を前記端末に送信する。
【００２８】
本発明のさらなる利点、目的、及び特徴は後述する発明の詳細な説明に一部は記述されており、一部は当業者であれば以下の実施例により明確になるか又は本発明の実施により理解されるであろう。本発明の目的と利点は、特に請求の範囲に開示されたことにより実現及び達成される。
【発明を実施するための最良の形態】
【００２９】
以下の図面を参照して本発明を詳細に説明する。同図面において同様の参照番号は同様の構成要素を示す。
【００３０】
本発明においては、第２装置に発行されたデジタル著作権管理（ＤＲＭ）コンテンツを利用するための利用権利（ＲＯ）を第１装置が用いようとする場合、前記第２装置は、前記ＤＲＭコンテンツを復号化（解読）して前記復号化（解読）されたＤＲＭコンテンツを前記第１装置に提供するか、前記ＲＯを復号化及び符号化して前記第１装置に提供することにより前記第１装置が利用できるようにするか、又は前記ＲＯに含まれるコンテンツ暗号化鍵（Content Encryption Key; CEK）を前記第１装置に提供する。
【００３１】
以下、添付の図面を参照して本発明の好ましい実施形態について詳細に説明する。
【００３２】
図２は本発明の一実施形態による装置間のＤＲＭシステムの構成を示している。
【００３３】
図２に示すように、装置間のＤＲＭシステムは、特定コンテンツを利用し、第２装置３０が所有する前記コンテンツのＲＯの状態情報の更新を要求する第１装置５０と、前記特定コンテンツの利用を許可し、前記要求に応じて前記ＲＯの状態情報を更新する第２装置３０とを含む。
【００３４】
第１装置５０は、第２装置３０と相互認証を行い、ユーザにより特定コンテンツの利用が指示された場合、第２装置３０から復号化された前記特定コンテンツを受信して利用するか、又は第２装置３０から提供された前記特定コンテンツを復号化するための復号情報を用いて前記既に保存されたコンテンツを復号化して利用し、利用情報によって前記コンテンツのＲＯの状態情報が更新されるように状態情報の更新を要求する。
【００３５】
第２装置３０は、コンテンツを復号化して第１装置５０に提供し、第１装置５０が前記コンテンツを復号化するための復号情報を第１装置５０に提供し、第１装置５０により利用された前記コンテンツの利用情報によって前記コンテンツのＲＯを管理する。
【００３６】
本発明の一実施形態による装置間のＤＲＭシステムは、コンテンツ及び第２装置３０名義の前記コンテンツのＲＯを発行するコンテンツプロバイダをさらに含む。
【００３７】
前記コンテンツプロバイダは、コンテンツ（例えば、ＤＲＭコンテンツ）を提供するコンテンツイシュア（ＣＩ）３０と、前記ＤＲＭコンテンツのＲＯを発行するライトイシュア（rights issuer；RI）４０とから構成される。
【００３８】
第１装置５０は、第２装置３０と相互認証を行い、第２装置３０と連動して、復号化されたＤＲＭコンテンツ又は前記ＤＲＭコンテンツの復号情報を取得して前記ＤＲＭコンテンツを利用し、前記ＤＲＭコンテンツの利用情報による前記ＲＯの状態情報の更新を要求する第１ＤＲＭエージェント６０と、前記ＤＲＭコンテンツを再生（利用）するメディア再生器７０とを含む。
【００３９】
第１装置５０は、前記ＤＲＭコンテンツのメタ情報及び前記ＲＯのメタ情報を保存するメディアライブラリ（図示せず）と、第１ＤＲＭエージェント６０の制御下でユーザとインタフェースするユーザインタフェース部（図示せず）とをさらに含む。
【００４０】
第１装置５０は、前記コンテンツプロバイダと通信するための通信モジュール（図示せず）と、第１ＤＲＭエージェント６０のアプリケーションプログラム及びデータを保存するメモリ（図示せず）とをさらに含む。
【００４１】
第２装置３０は、プロセッサとメモリとを含み、簡単な演算（又は処理）機能を実行する。
【００４２】
第２装置３０は、第１装置５０と相互認証を行い、ＤＲＭコンテンツを復号化して第１装置５０に提供するか、又は前記ＤＲＭコンテンツを復号化するための復号情報を第１装置５０に提供し、第１装置５０から送信された状態情報更新要求に応じて前記ＲＯの状態情報を更新する第２ＤＲＭエージェント４０を含む。
【００４３】
第２装置３０は、前記ＤＲＭコンテンツ及び前記ＲＯを含むＤＲＭエージェント情報を保存するメモリ（図示せず）をさらに含む。
【００４４】
前記ＤＲＭエージェント情報は、ＤＲＭコンテンツ、前記ＤＲＭコンテンツのメタ情報、ＲＯ、前記ＲＯのメタ情報、前記ＲＯの状態情報、前記ＲＯを発行したＲＩに関する情報（ＲＩコンテクスト）、及び前記ＲＯの発行のための接続ドメインの情報（ドメインコンテクスト）を含む。
【００４５】
第２ＤＲＭエージェント４０は第１装置５０とセキュリティリンクを設定できる。
【００４６】
第１装置５０は端末でもよい。また、前記第１装置はホームネットワーキングシステムを構成するデバイスの１つでもよい。
【００４７】
第２装置３０は記憶装置でもよい。また、第２装置３０は移動端末でもよい。第２装置３０はメモリカード又はＳＲＭでもよい（以下、メモリカードをＳＲＭという）。第２装置３０はホームネットワーキングシステムを構成するデバイスの１つでもよい。
【００４８】
前記ＳＲＭは、セキュアデジタル（Secure Digital; SD）カード、マルチメディアカード（Multimedia Card; MMC）、スマートメディアカード（SmartMedia（登録商標） Card; SMC）、マイクロＳＩＭ（Subscriber Identification Module）カード、並びにマルチメディアを保存できる各種メモリカードのいずれか１つを含む。
【００４９】
前記コンテンツを復号化するための復号情報は、ＲＯと前記ＲＯに含まれているコンテンツ暗号化鍵（ＣＥＫ）のいずれか１つを含む。
【００５０】
前記ＲＯはバイナリ、ＸＭＬ、又はその他のテキスト形式で符号化できる。第２ＤＲＭエージェント４０は必要に応じて符号化変換を行える。
【００５１】
以下、前述のように構成された本発明によるＤＲＭシステムの動作について添付の図面を参照して説明する。
【００５２】
例えば、第２装置３０が第１装置５０に接続され、第２装置３０が所有するＤＲＭコンテンツのＲＯを第１装置５０が要求し、第２装置３０の許可によって第１装置５０が前記コンテンツを利用する場合について説明する。
【００５３】
第２装置３０が第１装置５０に接続すると、第１装置５０は、第２装置３０を認識し、第２装置３０の第２ＤＲＭエージェント４０と相互認証手順を行う。ここで、第１ＤＲＭエージェント６０と第２ＤＲＭエージェント４０とは、互いのデバイスＩＤを確認する。
【００５４】
前記相互認証手順に成功すると、第１ＤＲＭエージェント６０と第２ＤＲＭエージェント４０とは、安全な通信チャネルを設定する。ここで、第１ＤＲＭエージェント６０と第２ＤＲＭエージェント４０間の安全な通信チャネルの設定は選択的に行われる。
【００５５】
第１ＤＲＭエージェント６０は第２装置３０からＲＯ情報を取得する。すなわち、第１ＤＲＭエージェント６０は、第２装置３０からＤＲＭエージェント情報を読み出し、前記メディアライブラリ（図示せず）に保存する。第１ＤＲＭエージェント６０は、前記読み出したＤＲＭエージェント情報を用いて、現在利用可能なコンテンツリストを構成する。前記コンテンツリストは、ユーザが利用を希望するコンテンツを確認しようとするときに表示される。前記コンテンツリストは、第１装置５０が第２装置３０と連動して第２装置３０に保存されているＤＲＭコンテンツを安全に利用できるようにする。
【００５６】
第２装置３０に保存されているＤＲＭコンテンツは、ユーザが希望する時点で第２装置３０から第１装置５０にコピー（複製）されることもあり、第１装置５０が前記ＤＲＭコンテンツを利用（再生）するときに自動的にコピーされることもある。前記ＤＲＭコンテンツは、第１装置５０に長期間保存することができ、第１ＤＲＭエージェント６０が直接復号化することができるため、迅速に処理することができる。一旦コピーされたＤＲＭコンテンツは、第２装置３０が第１装置５０から取り外されるか又は接続解除されても、第１装置５０のメモリ（図示せず）にユーザが希望する間は保存することができる。従って、第１装置５０が前記ＤＲＭコンテンツを利用しようとするとき、第２装置３０からそのＤＲＭコンテンツを再び読み出す必要がない。
【００５７】
以下、ユーザが第２装置３０により表示されたＤＲＭコンテンツのいずれか１つを選択して再生する場合、第１装置５０と第２装置３０が連動して前記ユーザにより選択されたＤＲＭコンテンツを再生する動作を説明する。
【００５８】
ここで、第１装置５０のコンテンツ利用部、例えばメディア再生器７０は、再生されるコンテンツの復号化を第１ＤＲＭエージェント６０に要求する。前記再生されるコンテンツのＲＯが第１装置５０に発行された場合、第１ＤＲＭエージェント６０は、コンテンツのＲＯを確認し、前記コンテンツを復号化し、前記復号化されたコンテンツをメディア再生器７０に提供する。これにより、メディア再生器７０が前記コンテンツを再生する。
【００５９】
しかし、前記再生されるコンテンツのＲＯが第２装置３０に発行された場合、第１ＤＲＭエージェント６０は、前記コンテンツのＲＯを確認して復号化する過程を単独では行えず、第２装置３０の第２ＤＲＭエージェント４０と連動して前記過程を行わなければならない。
【００６０】
これは、第２装置３０のコンテンツを解読するためには第２装置３０の秘密鍵が必要であるが、公開鍵基盤構造システムでは端末の秘密鍵が流出してはならないからである。
【００６１】
図３は、コンテンツが第２装置３０に存在する場合に第１装置５０の第１ＤＲＭエージェント６０が第２装置３０の第２ＤＲＭエージェント４０と共にそのコンテンツを解読するためのシステムの構成を示している。
【００６２】
図３に示すように、第１装置５０は端末２０を含み、第２装置３０はＳＲＭ１０を含む。第１ＤＲＭエージェント６０は端末ＤＲＭエージェント２１を含み、第２ＤＲＭエージェント４０はＳＲＭＤＲＭエージェント１１（又は、前記ＳＲＭのＤＲＭエージェント１１）を含む。
【００６３】
ＳＲＭ１０が接続された端末２０により、ユーザがＳＲＭ１０に保存されている特定コンテンツを利用するための特定動作を指示すると、端末２０のメディア再生器／メディアライブラリ２２は、前記特定コンテンツを端末ＤＲＭエージェント２１に要求し、端末ＤＲＭエージェント２１から復号化された前記特定コンテンツが送信されると、前記復号化された特定コンテンツを再生する。
【００６４】
端末ＤＲＭエージェント２１は、メディア再生器／メディアライブラリ２２により要求された前記特定コンテンツ及びその特定コンテンツを利用するためのユーザの特定動作をＳＲＭＤＲＭエージェント１１に要求し、ＳＲＭ ＤＲＭエージェント１１から前記復号化された特定コンテンツ及び状態情報が送信されると、前記特定コンテンツを利用する前記特定動作が前記状態情報に基づいて行われるように制御する。
【００６５】
ＳＲＭ１０のＳＲＭ ＤＲＭエージェント１１は、端末ＤＲＭエージェント２１から前記特定コンテンツ及びその特定コンテンツを利用するための特定動作が要求されると、前記特定コンテンツのＲＯ及び状態情報を確認し、利用権限を検証する。利用権限を有する場合、ＳＲＭＤＲＭエージェント１１は、前記特定コンテンツを復号化し、前記復号化された特定コンテンツ及び／又は状態情報を端末ＤＲＭエージェント２１に提供し、端末２０により利用された前記特定コンテンツの利用情報によって前記ＲＯ及び／又は状態情報を管理する。ＳＲＭＤＲＭエージェント１１は、前記ＲＯからコンテンツ暗号化鍵（ＣＥＫ）を抽出し、前記コンテンツを復号化し、前記復号化されたコンテンツを端末２０に提供する。端末ＤＲＭエージェント２１は、前記コンテンツを再生し、前記コンテンツの再生開始時に状態情報更新をＳＲＭＤＲＭエージェント１１に要求する。また、端末ＤＲＭエージェント２１は、再生中に利用量による状態情報の更新を要求できる。端末ＤＲＭエージェント２１は、前記コンテンツの再生が完了すると、状態情報更新をＳＲＭＤＲＭエージェント１１に要求する。ＳＲＭ ＤＲＭエージェント１１は、前記状態情報更新要求に応じて前記ＲＯの状態情報を更新する。
【００６６】
図４は、特定コンテンツが第２装置３０に存在する場合に第１装置５０の第１ＤＲＭエージェント６０が第２装置３０の第２ＤＲＭエージェント４０と共にその特定コンテンツを解読する方法の一例を示している。
【００６７】
例えば、第１装置５０は端末２０から構成され、第２装置６０はＳＲＭ１０から構成され、第１ＤＲＭエージェント６０は端末ＤＲＭエージェント２１から構成され、第２ＤＲＭエージェント４０はＳＲＭＤＲＭエージェント１１から構成された場合について説明する。
【００６８】
ユーザがＳＲＭ１０に保存されている特定コンテンツを利用するための特定動作を指示した場合、例えば前記特定動作が再生動作である場合、メディア再生器／メディアライブラリ２２は、前記特定コンテンツを端末ＤＲＭエージェント２１に要求する。端末ＤＲＭエージェント２１は、前記特定コンテンツ（Content Object; CO）及びその特定コンテンツを利用するための特定動作をＳＲＭ ＤＲＭエージェント１１に要求する（Ｓ４１）。ここで、前記特定動作は、例えば前記特定コンテンツの再生動作、前記特定コンテンツの印刷動作、前記特定コンテンツのゲーム実行動作などである。
【００６９】
前記要求を受信したＳＲＭ ＤＲＭエージェント１１は、前記特定コンテンツのＲＯ及び／又は状態情報を解析して利用権限を検証する。例えば、前記利用権限の検証は次のように行われる。前記ＲＯは、許可動作（ｐｅｒｍｉｓｓｉｏｎ）及び制限条件（ｃｏｎｓｔｒａｉｎｔ）に関する情報を含む。端末２０が要求する動作が「ｐｌａｙ」であり、現在時刻が１９９８年１２月１３日である場合、前記ＲＯの許可動作に「ｐｌａｙ」が存在し、前記制限条件のうち期限が１９９９年５月３０日であると、端末２０のコンテンツ利用要求動作が前記条件を満たすので、ＳＲＭＤＲＭエージェント１１は端末２０が前記コンテンツに対する利用権限を有すると判断する。
【００７０】
端末２０が利用権限を有する場合、ＳＲＭ ＤＲＭエージェント１１は、前記ＲＯに保存されたＣＥＫを復号化し、前記復号化されたＣＥＫを用いて前記特定コンテンツを復号化する（Ｓ４２）。
【００７１】
ＳＲＭ ＤＲＭエージェント１１は、前記復号化された特定コンテンツ（ＣＯ'）及び状態情報を端末２０に送信する（ここで、前記特定コンテンツのＲＯがｓｔａｔｅｌｅｓｓ ＲＯである場合、前記状態情報は送信されない）。ここで、端末ＤＲＭエージェント２１とＳＲＭＤＲＭエージェント１１との間に保護チャネルが設定された場合、前記復号化されたコンテンツ（ＣＯ’）及び状態情報は、前記保護チャネルで送信される（Ｓ４３）。
【００７２】
端末ＤＲＭエージェント２１は、前記復号化されたコンテンツ（ＣＯ’）をメディア再生器２２に供給する。メディア再生器２２は、前記復号化されたコンテンツ（ＣＯ’）を再生する（Ｓ４６）。端末ＤＲＭエージェント２１は、コンテンツの利用開始時、コンテンツの利用中、及びコンテンツの利用完了時の少なくとも１つの場合、前記状態情報の更新をＳＲＭＤＲＭエージェント１１に要求する（Ｓ４４、Ｓ４７、Ｓ４９）。前記コンテンツの利用中に端末ＤＲＭエージェント２１が前記ＲＯの状態情報の更新を要求した場合、前記更新を特定間隔で要求できる。
【００７３】
端末ＤＲＭエージェント２１がＲＯの状態情報の更新を要求する方法は２つある。第１の方法は、端末ＤＲＭエージェント２１がコンテンツの利用量に応じて状態情報を更新し、前記更新された状態情報の値をＳＲＭＤＲＭエージェント１１に送信する方法である。第２の方法は、端末ＤＲＭエージェント２１がコンテンツの利用量（利用時間又は利用回数など）をＳＲＭ ＤＲＭエージェント１１に通知し、ＳＲＭＤＲＭエージェント１１に保存されている状態情報を更新することをＳＲＭ ＤＲＭエージェント１１に要求する方法である。
【００７４】
端末ＤＲＭエージェント２１が前記ＲＯの状態情報の更新を特定間隔で要求する場合において、前記更新は、前記コンテンツが利用される度に毎回要求することもでき、定められた時間に要求することもできる。
【００７５】
ＳＲＭ ＤＲＭエージェント１１は、前記コンテンツの利用開始、前記コンテンツの利用中、又は前記コンテンツの利用完了のいずれか一時点で端末ＤＲＭエージェント２１から送信される状態情報更新要求に応じて（Ｓ４４、Ｓ４７、Ｓ４９）、ＳＲＭ１０のメモリ１２に保存されている状態情報を更新する（Ｓ４５、Ｓ４８、Ｓ５０）。
【００７６】
また、端末ＤＲＭエージェント２１がＳＲＭ ＤＲＭエージェント１１に前記コンテンツを利用するための特定動作を要求するとき、所望の利用回数や利用時間を共に要求することができる。この場合、ＳＲＭＤＲＭエージェント１１は、前記段階Ｓ４３で端末ＤＲＭエージェント２１に前記復号化されたコンテンツを提供した後、前記ＲＯの状態情報を更新することもできる。
【００７７】
このように端末ＤＲＭエージェント２１は前記ＲＯの状態情報を管理できる。
【００７８】
ここで、前記ＲＯがｓｔａｔｅｌｅｓｓ ＲＯである場合、端末ＤＲＭエージェント２１は前記コンテンツの利用開始又は利用完了を通知することができ、ＳＲＭＤＲＭエージェント１１は前記ＲＯの状態情報更新過程を行わない。
【００７９】
図５は、特定コンテンツが第２装置３０に存在する場合に第１装置５０の第１ＤＲＭエージェント６０が第２装置３０の第２ＤＲＭエージェント４０と共にその特定コンテンツを解読する方法の他の例を示している。
【００８０】
例えば、第１装置５０は端末２０から構成され、第２装置６０はＳＲＭ１０から構成され、第１ＤＲＭエージェント６０は端末ＤＲＭエージェント２１から構成され、第２ＤＲＭエージェント４０はＳＲＭＤＲＭエージェント１１から構成された場合について説明する。
【００８１】
ユーザがＳＲＭ１０に保存されている特定コンテンツを利用するための特定動作を指示した場合、例えば前記特定動作が再生動作である場合、メディア再生器／メディアライブラリ２２は、前記特定コンテンツを端末ＤＲＭエージェント２１に要求する。端末ＤＲＭエージェント２１は、前記特定コンテンツ（ＣＯ）及びその特定コンテンツを利用するための特定動作をＳＲＭＤＲＭエージェント１１に要求する（Ｓ６１）。
【００８２】
前記要求を受信したＳＲＭ ＤＲＭエージェント１１は、前記特定コンテンツのＲＯ及び／又は状態情報を解析して利用権限を検証する。
【００８３】
利用権限を有する場合、ＳＲＭ ＤＲＭエージェント１１は、前記ＲＯに保存されたＣＥＫをＳＲＭ１０の秘密鍵を用いて復号化し、前記復号化されたＣＥＫを用いて前記特定コンテンツを復号化する（Ｓ６２）。
【００８４】
ＳＲＭ ＤＲＭエージェント１１は、前記復号化された特定コンテンツ（ＣＯ'）を利用時間情報と共に端末２０に送信する（Ｓ６３）。ここで、端末ＤＲＭエージェント２１とＳＲＭ ＤＲＭエージェント１１との間に保護チャネルが設定された場合、前記復号化されたコンテンツ（ＣＯ’）及び利用時間情報は、前記保護チャネルで送信できる。
【００８５】
端末ＤＲＭエージェント２１は、前記復号化されたコンテンツ（ＣＯ’）をメディア再生器２２に供給する。メディア再生器２２は、前記復号化されたコンテンツ（ＣＯ’）を再生する（Ｓ６６）。端末ＤＲＭエージェント２１は、受信された前記利用時間を超過して前記コンテンツを再生しないように制御する。
【００８６】
端末ＤＲＭエージェント２１は、前記コンテンツの再生開始時、利用開始をＳＲＭＤＲＭエージェント１１に通知する（Ｓ６４）。また、端末ＤＲＭエージェント２１は、前記コンテンツの再生中に、特定間隔で前記コンテンツを利用中であることを通知することができる（Ｓ６７）。
【００８７】
端末ＤＲＭエージェント２１は、前記コンテンツの再生が完了すると、コンテンツ再生の完了をＳＲＭＤＲＭエージェント１１に通知する（Ｓ６９）。
【００８８】
ＳＲＭ ＤＲＭエージェント１１は、端末ＤＲＭエージェント２１からの前記コンテンツの利用開始通知、及び前記コンテンツの利用完了通知を参照して、前記コンテンツのＲＯに関する状態情報を更新する（Ｓ６５、Ｓ７０）。
【００８９】
図６は、特定コンテンツが第１装置５０（例えば、端末２０）にコピーされている場合に第１ＤＲＭエージェント６０（例えば、端末ＤＲＭエージェント２１）が第２ＤＲＭエージェント４０（例えば、ＳＲＭＤＲＭエージェント１１）と共に特定コンテンツを解読するためのシステムの構成を示している。
【００９０】
ユーザが端末２０に保存されている特定コンテンツを利用するための特定動作を指示すると、メディア再生器／メディアライブラリ２２は、前記特定コンテンツの復号化を端末ＤＲＭエージェント２１に要求し、端末ＤＲＭエージェント２１から復号化された前記特定コンテンツが送信されると、前記復号化された特定コンテンツを再生する。
【００９１】
端末ＤＲＭエージェント２１は、メディア再生器／メディアライブラリ２２により要求された前記特定コンテンツを利用するための利用権限及び前記特定コンテンツを復号化するための復号情報をＳＲＭ１０のＳＲＭＤＲＭエージェント１１に要求する。ＳＲＭ ＤＲＭエージェント１１から前記特定コンテンツを復号化するための復号情報及び／又は状態情報が送信されると、端末ＤＲＭエージェント２１は、前記復号情報を用いて前記特定コンテンツを復号化し、前記状態情報に基づいて前記復号化された特定コンテンツが利用されるように制御する。
【００９２】
ＳＲＭ１０のＳＲＭ ＤＲＭエージェント１１は、端末ＤＲＭエージェント２１から前記特定コンテンツを復号化するための復号情報が要求されると、前記特定コンテンツのＲＯ及び／又は状態情報を確認し、前記端末の前記コンテンツに対する利用権限を検証する。端末ＤＲＭエージェント２１が利用権限を有する場合、ＳＲＭＤＲＭエージェント１１は、前記特定コンテンツを復号化するための復号情報及び／又は状態情報を端末ＤＲＭエージェント２１に提供し、端末２０により利用された前記特定コンテンツの利用情報によって前記ＲＯ及び／又は状態情報を管理する。
【００９３】
図７は、第１装置５０の第１ＤＲＭエージェント６０が第２装置３０の第２ＤＲＭエージェント４０と共にその特定コンテンツを解読する方法の一例を示している。
【００９４】
例えば、第１装置５０は端末２０から構成され、第２装置６０はＳＲＭ１０から構成され、第１ＤＲＭエージェント６０は端末ＤＲＭエージェント２１から構成され、第２ＤＲＭエージェント４０はＳＲＭＤＲＭエージェント１１から構成された場合について説明する。
【００９５】
ここで、ＳＲＭ ＤＲＭエージェント１１は、端末ＤＲＭエージェント２１に前記特定コンテンツを復号化するためのＲＯを提供し、端末ＤＲＭエージェント２１は、前記ＲＯの状態情報を管理する。
【００９６】
ユーザが端末１０に保存されている特定コンテンツを利用するための特定動作を指示した場合、例えば前記特定動作が再生動作である場合、メディア再生器／メディアライブラリ２２は、前記特定コンテンツの復号化を端末ＤＲＭエージェント２１に要求する。端末ＤＲＭエージェント２１は、前記特定コンテンツのＲＯをＳＲＭＤＲＭエージェント１１に要求する（Ｓ８１）。
【００９７】
ＳＲＭ ＤＲＭエージェント１１は、前記要求されたＲＯ及び／又は状態情報を解析して利用権限を検証する。前記端末が利用権限を有する場合、ＳＲＭＤＲＭエージェント１１は、前記ＲＯをＳＲＭ１０の秘密鍵を用いて復号化し、前記復号化されたＲＯを端末１０の公開鍵を用いて符号化（又は暗号化）し（Ｓ８２）、前記符号化されたＲＯ（ＲＯ’）及び状態情報を端末２０に送信する（Ｓ８３）。
【００９８】
端末ＤＲＭエージェント２１は、前記符号化されたＲＯ（ＲＯ’）を端末１０の秘密鍵を用いて復号化（解読）し、前記ＲＯの復号化により取得されたＣＥＫを用いて前記特定コンテンツを復号化し、前記復号化された特定コンテンツをメディア再生器／メディアライブラリ２２に提供する（Ｓ８４）。メディア再生器／メディアライブラリ２２は、前記提供された特定コンテンツを再生する（Ｓ８７）。
【００９９】
端末ＤＲＭエージェント２１は、コンテンツの利用開始時、コンテンツの利用中、及びコンテンツの利用完了時の少なくとも１つの場合、前記状態情報の更新をＳＲＭＤＲＭエージェント１１に要求する（Ｓ８５、Ｓ８８、Ｓ９０）。前記コンテンツの利用中に端末ＤＲＭエージェント２１が前記ＲＯの状態情報の更新を要求した場合、前記更新を特定間隔で要求できる。
【０１００】
端末ＤＲＭエージェント２１がＲＯの状態情報の更新を要求する方法は２つある。第１の方法は、端末ＤＲＭエージェント２１がコンテンツの利用量に応じて状態情報を更新し、前記更新された状態情報の値をＳＲＭＤＲＭエージェント１１に送信する方法である。第２の方法は、端末ＤＲＭエージェント２１がコンテンツの利用量（利用時間又は利用回数など）をＳＲＭ ＤＲＭエージェント１１に通知し、ＳＲＭＤＲＭエージェント１１に保存されている状態情報を更新することをＳＲＭ ＤＲＭエージェント１１に要求する方法である。
【０１０１】
端末ＤＲＭエージェント２１が前記ＲＯの状態情報の更新を特定間隔で要求する場合において、前記更新は、前記コンテンツが利用される度に毎回要求することもでき、定められた時間に要求することもできる。
【０１０２】
ＳＲＭ ＤＲＭエージェント１１は、前記コンテンツの利用開始、前記コンテンツの利用中、又は前記コンテンツの利用完了のいずれか一時点で端末ＤＲＭエージェント２１から送信される状態情報更新要求に応じて（Ｓ８５、Ｓ８８、Ｓ９０）、ＳＲＭ１０のメモリ１２に保存されている状態情報を更新する（Ｓ８６、Ｓ８９、Ｓ９１）。
【０１０３】
このように端末ＤＲＭエージェント２１は前記ＲＯの状態情報を管理できる。
【０１０４】
また、端末ＤＲＭエージェント２１がＳＲＭ ＤＲＭエージェント１１に前記ＲＯを要求するとき、所望の利用回数や利用時間を共に要求することができる。この場合、ＳＲＭＤＲＭエージェント１１は、前記段階Ｓ８３で端末ＤＲＭエージェント２１に前記保護されたＲＯを提供した後、ＳＲＭ１０の前記ＲＯの状態情報を更新することもできる。
【０１０５】
ここで、前記ＲＯがｓｔａｔｅｌｅｓｓ ＲＯである場合、端末ＤＲＭエージェント２１は、前記コンテンツの再生が完了すると、前記コンテンツの利用完了を通知し、ＳＲＭＤＲＭエージェント１１は、前記ＲＯの状態情報を管理しないため状態情報更新過程を行わない。
【０１０６】
図８は、特定コンテンツが第１装置５０（例えば、端末２０）にコピーされている場合に第１ＤＲＭエージェント６０（例えば、端末ＤＲＭエージェント２１）が第２ＤＲＭエージェント４０（例えば、ＳＲＭＤＲＭエージェント１１）と共に特定コンテンツを解読する方法の他の例を示している。
【０１０７】
段階Ｓ１０１〜Ｓ１０４の動作は段階Ｓ８１〜Ｓ８４の動作と同様である。
【０１０８】
端末ＤＲＭエージェント２１は、端末２０のコンテンツ再生時、前記コンテンツの再生開始をＳＲＭＤＲＭエージェント１１に通知し（Ｓ１０５）、前記コンテンツの再生完了時、利用完了をＳＲＭ ＤＲＭエージェント１１に通知する（Ｓ１１０）。また、端末ＤＲＭエージェント２１は、前記コンテンツの再生中に、特定間隔で前記コンテンツを利用中であることを通知することができる（Ｓ１０８）。
【０１０９】
ＳＲＭ ＤＲＭエージェント１１は、端末ＤＲＭエージェント２１から前記コンテンツの利用開始通知を受信した時点、及び前記コンテンツの利用完了通知を受信した時点を参照して、前記コンテンツのＲＯに関する状態情報を更新する（Ｓ１０６、Ｓ１１１）。
【０１１０】
図９は、特定コンテンツが第１装置５０（例えば、端末２０）にコピーされている場合に第１ＤＲＭエージェント６０（例えば、端末ＤＲＭエージェント２１）が第２ＤＲＭエージェント４０（例えば、ＳＲＭＤＲＭエージェント１１）と共に特定コンテンツを解読する方法の他の例を示している。ここで、ＳＲＭ ＤＲＭエージェント１１は、端末ＤＲＭエージェント２１にＣＥＫ及び利用時間情報を提供し、直接状態情報を管理する。
【０１１１】
ユーザが端末１０に保存されている特定コンテンツを利用するための特定動作を指示した場合、例えば前記特定動作が再生動作である場合、メディア再生器／メディアライブラリ２２は、前記特定コンテンツの復号化を端末ＤＲＭエージェント２１に要求する。端末ＤＲＭエージェント２１は、前記特定コンテンツを利用するための特定動作の許可をＳＲＭＤＲＭエージェント１１に要求する（Ｓ１２１）。
【０１１２】
前記要求を受信したＳＲＭ ＤＲＭエージェント１１は、前記特定コンテンツを利用するための特定動作に対して端末２０が利用権限を有するか否かを検証する。利用権限の検証時、ＳＲＭＤＲＭエージェント１１は、メモリ１２に保存されている前記特定コンテンツのＲＯ及び／又は状態情報を参照できる。
【０１１３】
前記利用権限の検証は次のように行われる。前記ＲＯは、許可動作（ｐｅｒｍｉｓｓｉｏｎ）及び制限条件（ｃｏｎｓｔｒａｉｎｔ）に関する情報を含む。端末２０が要求する動作が「ｐｌａｙ」であり、現在時刻が１９９８年１２月１３日である場合、前記ＲＯの許可動作に「ｐｌａｙ」が存在し、前記制限条件のうち期限が１９９９年５月３０日であると、端末２０のコンテンツ利用要求動作が前記条件を満たすので、ＳＲＭＤＲＭエージェント１１は端末２０が前記コンテンツに対する利用権限を有すると判断する。
【０１１４】
端末２０が利用権限を有する場合、ＳＲＭ ＤＲＭエージェント１１は、前記ＲＯをＳＲＭ１０の秘密鍵を用いて復号化し、前記復号化されたＲＯから前記ＣＥＫを抽出し、前記抽出されたＣＥＫを前記端末の公開鍵を用いて符号化する（Ｓ１２２）。その後、ＳＲＭＤＲＭエージェント１１は、前記符号化されたＣＥＫを端末２０に送信する。又は、前記ＣＥＫは、端末ＤＲＭエージェント２１とＳＲＭ ＤＲＭエージェント１１との間に設定された符号化チャネルで送信できる。
【０１１５】
ここで、前記特定コンテンツの利用における制限条件（ｃｏｎｓｔｒａｉｎｔ）情報は、前記ＣＥＫと共に送信できる（Ｓ１２３）。前記特定コンテンツのＲＯの制限条件が利用時間である場合、利用時間情報が前記ＣＥＫと共に送信される。前記ＲＯがｓｔａｔｅｌｅｓｓＲＯである場合、前記利用時間情報は送信されない。
【０１１６】
端末ＤＲＭエージェント２１は、前記端末の秘密鍵を用いて前記受信されたＣＥＫを復号化し、前記復号化されたＣＥＫを用いて前記特定コンテンツを復号化し、前記復号化された特定コンテンツをメディア再生器／メディアライブラリ２２に提供する（Ｓ１２４）。メディア再生器／メディアライブラリ２２は、前記復号化された特定コンテンツを再生する（Ｓ１２７）。
【０１１７】
端末ＤＲＭエージェント２１は、再生開始時点で利用開始を通知し（Ｓ１２５）、前記コンテンツの再生が完了すると、再生完了時点で利用完了をＳＲＭＤＲＭエージェント１１に通知する（Ｓ１３０）。また、端末ＤＲＭエージェント２１は、前記コンテンツの再生中に、特定間隔でＳＲＭ ＤＲＭエージェント１１に前記コンテンツを利用中であることを通知することができる（Ｓ１２８）。
【０１１８】
ＳＲＭ ＤＲＭエージェント１１は、端末ＤＲＭエージェント２１から前記コンテンツの利用開始通知を受信した時点、及び前記コンテンツの利用完了通知を受信した時点を参照して、前記コンテンツのＲＯに関する状態情報を更新する（Ｓ１２６、Ｓ１３１）。
【０１１９】
一方、ｓｔａｔｅｆｕｌ ＲＯの場合におけるＳＲＭ ＤＲＭエージェント１１がＲＯの制限条件（ｃｏｎｓｔｒａｉｎｔ）のタイプに応じて状態情報を異なる方法で管理する動作について説明する。
【０１２０】
前記ｓｔａｔｅｆｕｌ ＲＯの制限条件がプレー回数（コンテンツをプレーできる回数を示す）である場合、端末は所望のプレー回数を要求できる。例えば、前記端末は２回のプレーのためのＲＯを要求できる。前記ＳＲＭは、該当ＣＥＫを前記端末に送信するとき、要求された回数を共に送信できる。前記ＳＲＭは、要求された回数を除いた残りの回数によって状態情報を更新する（ここで、前記残りの回数は「利用可能な回数」をいう）。コンテンツの再生中に前記ＳＲＭが前記端末から取り外されるか否かに関係なく、前記端末は前記要求された回数だけ前記コンテンツを再生し続けることができる。
【０１２１】
前記ｓｔａｔｅｆｕｌ ＲＯの制限条件がプレー時間（コンテンツをプレーできる時間を示す）である場合、前記ＳＲＭが前記ＣＥＫを渡すとき、現在の残りのプレー時間（利用可能なプレー時間）を通知する。ここで、前記ＳＲＭＤＲＭエージェントは利用開始時間を保存する。前記端末のメディア再生器は、残りのプレー時間だけ前記コンテンツを再生し、前記プレー時間が経過すると再生を停止する。もし、再生中にユーザが再生を停止すると、前記端末は再生した時間を除いた残りのプレー時間を前記ＳＲＭに返す。再生中に前記ＳＲＭが前記端末から取り外された場合、前記端末のメディア再生器は再生を停止し、前記ＳＲＭは取り外された時点を基準に残りのプレー時間を計算し、前記状態情報を更新する。
【０１２２】
前記制限条件が利用期限（又は、期間）である場合、前記メディア再生器は、利用期限が経過するとそれ以上再生せず、また、前記ＳＲＭの取り外しに関係なく再生し続ける。また、ユーザが再生を停止しても、残りの状態の計算及び更新は必要でない。
【０１２３】
前述したように、本発明による装置間のデジタル著作権管理システム及び方法は様々な利点を有する。
【０１２４】
例えば、特定装置が所有するＤＲＭコンテンツを利用するためのＲＯを他の装置が用いることができる。
【０１２５】
ＳＲＭ（又はメモリカード）がＳＲＭに発行されたＲＯをＳＲＭに接続された端末に移転して、前記端末が前記ＳＲＭに発行されたＲＯ(前記ＳＲＭに属するＲＯ)に基づいてＤＲＭコンテンツを利用することができるので、前記ＳＲＭと相互認証手順を行った全ての端末が前記ＳＲＭに発行されたＲＯを用いることができる。従って、ＳＲＭ（又はメモリカード）の有用性を向上させることができる。
【０１２６】
ホームネットワーキングシステムにおいて、特定装置が所有するＲＯを他の装置が用いることができる。
【０１２７】
前述した実施形態と利点は単なる例示にすぎず、本発明を制限するものではない。本発明は、他の形態の装置にも容易に適用できる。本発明の詳細な説明は単なる説明の便宜のためのものであり、請求の範囲を制限するものではない。当該技術分野における通常の知識を有する者であればこれらの多様な代替、変更、変形が可能であることを理解できるであろう。請求の範囲におけるミーンズプラスファンクションクレーム(means-plus-function clauses)は、その説明された機能を実行するものとしてここに記載された構成（structure）を含み、構造的同等物及び均等な構造をも含む。
【図面の簡単な説明】
【０１２８】
【図１】一般的なＤＲＭシステムの構成を示す図である。
【図２】本発明の一実施形態による装置間のＤＲＭシステムの構成を示す図である。
【図３】特定コンテンツがＳＲＭに存在する場合に端末ＤＲＭエージェントがＳＲＭＤＲＭエージェントと共にコンテンツを解読するためのシステムの構成を示す図である。
【図４】特定コンテンツがＳＲＭに存在する場合における端末ＤＲＭエージェントがＳＲＭＤＲＭエージェントと共にコンテンツを解読する方法の一例を示す図である。
【図５】特定コンテンツがＳＲＭに存在する場合における端末ＤＲＭエージェントがＳＲＭＤＲＭエージェントと共にコンテンツを解読する方法の他の例を示す図である。
【図６】特定コンテンツが端末にコピーされている場合に端末ＤＲＭエージェントがＳＲＭＤＲＭエージェントと共に特定コンテンツを解読するためのシステムの構成を示す図である。
【図７】特定コンテンツが端末にコピーされている場合における端末ＤＲＭエージェントがＳＲＭＤＲＭエージェントと共に特定コンテンツを解読する方法の一例を示す図である。
【図８】特定コンテンツが端末にコピーされている場合における端末ＤＲＭエージェントがＳＲＭＤＲＭエージェントと共に特定コンテンツを解読する方法の他の例を示す図である。
【図９】特定コンテンツが端末にコピーされている場合における端末ＤＲＭエージェントがＳＲＭＤＲＭエージェントと共に特定コンテンツを解読する方法のさらに他の例を示す図である。
【図１】
2009515273.tif 000003
【図２】
2009515273.tif 000004
【図３】
2009515273.tif 000005
【図４】
2009515273.tif 000006
【図５】
2009515273.tif 000007
【図６】
2009515273.tif 000008
【図７】
2009515273.tif 000009
【図８】
2009515273.tif 000010
【図９】
2009515273.tif 000011
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
端末におけるデジタル著作権管理方法であって、
特定コンテンツを利用するために、利用権利に関する情報をカードＤＲＭエージェントに要求する段階と、
前記カードＤＲＭエージェントから前記利用権利に関する情報を受信する段階と、
前記受信した利用権利に関する情報を用いて、前記特定コンテンツを復号化して利用する段階と、
前記コンテンツの利用完了時点で、前記カードＤＲＭエージェントに前記状態情報の更新を要求する段階とを含み、
ここで、前記利用権利に関する情報が、前記利用権利のメタ情報及び前記利用権利の状態情報を含むことを特徴とするデジタル著作権管理方法。
【請求項２】
前記状態情報の更新を要求する段階は、
前記コンテンツの利用によって前記状態情報を更新する段階と、
前記更新された状態情報を前記カードＤＲＭエージェントに送信する段階と、
を含むことを特徴とする請求項１に記載のデジタル著作権管理方法。
【請求項３】
前記カードＤＲＭエージェントから前記状態情報の更新要求に対する応答を受信する段階をさらに含むことを特徴とする請求項１に記載のデジタル著作権管理方法。
【請求項４】
前記利用権利がｓｔａｔｅｆｕｌ利用権利に該当することを特徴とする請求項１に記載のデジタル著作権管理方法。
【請求項５】
カードにおけるデジタル著作権管理方法であって、
端末から特定コンテンツを利用するための利用権利に関する情報の要求を受信する段階と、
前記利用権利に関する情報を前記端末に送信する段階と、
前記端末が前記コンテンツの利用を完了した時点で、前記端末から前記状態情報の更新要求を受信する段階と、
前記更新要求に応答して前記状態情報を更新する段階とを含み、
ここで、前記利用権利に関する情報が、前記利用権利のメタ情報及び前記利用権利の状態情報を含むことを特徴とするデジタル著作権管理方法。
【請求項６】
前記状態情報の更新要求を受信する段階は、更新された状態情報を受信する段階を含むことを特徴とする請求項５に記載のデジタル著作権管理方法。
【請求項７】
前記状態情報を更新する段階は、既に保存されている状態情報を更新された状態情報に変更する段階を含むことを特徴とする請求項５に記載のデジタル著作権管理方法。
【請求項８】
前記更新要求に対する応答を前記端末に送信する段階をさらに含むことを特徴とする請求項５に記載のデジタル著作権管理方法。
【国際調査報告】
2009515273.tif 000012
2009515273.tif 000013